(57)【特許請求の範囲】
【請求項１】
レンズを保持するレンズ保持筒と、
前記レンズが露出する開口を開閉するバリア羽根と前記バリア羽根が取り付けられるバリアカバーとを備え前記レンズ保持筒に固定されたバリアユニットとを有し、
前記バリアカバーは、前記バリア羽根と接触して当該バリア羽根の開き量を規制する第１規制部を有し、
前記レンズ保持筒は、前記バリア羽根と接触して当該バリア羽根の開き量を規制する第２規制部を有し、
前記第２規制部により規制される前記バリア羽根の開き量は、前記第１規制部により規制されるバリア羽根の開き量よりも小さく、
前記バリアユニットは、前記レンズ保持筒に分離可能な状態で接触された第１回転位置から前記レンズ保持筒に対して回転された第２回転位置において前記レンズ保持筒に固定され、
前記バリアユニットが前記レンズ保持筒に対して前記第１回転位置にあるとき、前記第１規制部が前記バリア羽根の第１側面に接触し、前記第２規制部は前記バリア羽根の第２側面から離れており、
前記バリアユニットが前記レンズ保持筒に対して前記第２回転位置にあるとき、前記第２規制部が前記バリア羽根の前記第２側面と接触して前記バリア羽根を閉じる方向に前記バリア羽根を変位させることで、前記第１規制部が前記バリア羽根の前記第１側面から離れることを特徴とするレンズ鏡筒ユニット。
【請求項２】
前記第１規制部が前記バリア羽根の第１側面に接触する場合、前記第２規制部は前記バリア羽根の第２側面から離れており、
前記第２規制部が前記バリア羽根の前記第２側面と接触して前記バリア羽根を閉じる方向に前記バリア羽根を変位させる結果、前記第１規制部が前記バリア羽根の前記第１側面から離れることを特徴とする請求項１に記載のレンズ鏡筒ユニット。
【請求項３】
前記第１規制部は前記バリアユニットが前記レンズ保持筒に固定される前において前記バリア羽根と接触して当該バリア羽根の開き量を規制し、前記第２規制部は前記バリアユニットが前記レンズ保持筒に固定された後において前記バリア羽根と接触して当該バリア羽根の開き量を規制することを特徴とする請求項１または２に記載のレンズ鏡筒ユニット。
【請求項４】
請求項１から３のいずれかに記載のレンズ鏡筒ユニットを有する撮像装置。
【発明の詳細な説明】
【技術分野】
【０００１】
本発明はレンズ鏡筒ユニット及び撮像装置に関する。
【背景技術】
【０００２】
特許文献１は、撮影レンズを露呈する開口を開閉するバリア羽根を備えたレンズバリアユニットを直進筒に回転が規制された状態で取り付けたレンズ鏡筒を開示している。
【先行技術文献】
【特許文献】
【０００３】
【特許文献１】特開２００４−３０２２７４号公報
【発明の概要】
【発明が解決しようとする課題】
【０００４】
しかしながら、レンズバリアユニット内でバリア羽根は開く方向に付勢されるため、バリア羽根の開き量を規制しないとレンズバリアユニットを前筒に取り付けてレンズ鏡筒ユニットを組み立てる作業が困難になる。一方、レンズ鏡筒ユニットの小型化の需要もある。
【０００５】
本発明は、小型化と組立性に優れたレンズ鏡筒ユニット及び撮像装置を提供することを例示的な目的とする。
【課題を解決するための手段】
【０００６】
本発明の一側面としてのレンズ鏡筒ユニットは、レンズを保持するレンズ保持筒と、前記レンズが露出する開口を開閉するバリア羽根と前記バリア羽根が取り付けられるバリアカバーとを備え前記レンズ保持筒に固定されたバリアユニットと、を有するレンズ鏡筒ユニットであって、前記バリアカバーは、前記バリア羽根と接触して当該バリア羽根の開き量を規制する第１規制部を有し、前記レンズ保持筒は、前記バリア羽根と接触して当該バリア羽根の開き量を規制する第２規制部を有し、前記第２規制部により規制される前記バリア羽根の開き量は、前記第１規制部により規制されるバリア羽根の開き量よりも小さく、前記バリアユニットは、前記レンズ保持筒に分離可能な状態で接触された第１回転位置から前記レンズ保持筒に対して回転された第２回転位置において前記レンズ保持筒に固定され、前記バリアユニットが前記レンズ保持筒に対して前記第１回転位置にあるとき、前記第１規制部が前記バリア羽根の第１側面に接触し、前記第２規制部は前記バリア羽根の第２側面から離れており、前記バリアユニットが前記レンズ保持筒に対して前記第２回転位置にあるとき、前記第２規制部が前記バリア羽根の前記第２側面と接触して前記バリア羽根を閉じる方向に前記バリア羽根を変位させることで、前記第１規制部が前記バリア羽根の前記第１側面から離れることを特徴とする。かかるレンズ鏡筒ユニットを有する撮像装置も本発明の別の側面を構成する。
【発明の効果】
【０００７】
本発明は、小型化と組立性に優れたレンズ鏡筒ユニット及び撮像装置を提供することができる。
【図面の簡単な説明】
【０００８】
【図１】本実施例の撮像装置の斜視図である。
【図２】図１に示すレンズ鏡筒ユニットの斜視図である。
【図３】図２に示すレンズ鏡筒ユニットの分解斜視図である。
【図４】図２に示すレンズ鏡筒ユニットの撮影状態の断面図である。
【図５】図２に示すレンズ鏡筒ユニットの沈胴状態の断面図である。
【図６】図３に示す１群筒ユニットの分解斜視図である。
【図７】図６においてバリアユニットをユニット状態にしたときの斜視図である。
【図８】バリアユニットのバリア羽根が開いた状態における透過正面図である。
【図９】バリアユニットのバリア羽根が閉じた状態における透過正面図である。
【図１０】図７に示すバリアユニットと１群筒との係合を説明するための斜視図である。
【図１１】図１０に示す矢印方向にバリアユニットを１群筒に接触した状態を示す斜視図である。
【図１２】図１１に示す状態からバリアユニットを１群筒に係合した状態を示す斜視図である。
【図１３】図１１に示す状態の部分透過平面図である。
【図１４】図１２に示す状態の部分透過平面図である。
【発明を実施するための形態】
【０００９】
図１は、本実施例の撮像装置（デジタルカメラ）の斜視図である。図１に示すように、撮像装置は、カメラ本体１とレンズ鏡筒ユニット２を有する。レンズ鏡筒ユニット２は、撮影時にカメラ本体１から繰り出し（突出し）、収納時にカメラ本体１に繰り込む（沈胴する）沈胴式の鏡筒であり、小型化が要求されている。
【００１０】
図２はレンズ鏡筒ユニット２の斜視図、図３はレンズ鏡筒ユニット２の分解斜視図、図４はレンズ鏡筒ユニット２の撮影状態の断面図、図５はレンズ鏡筒ユニット２の沈胴状態の断面図である。
【００１１】
レンズ鏡筒ユニット２は１群筒ユニット１０、２群筒ユニット及び３群筒ユニットを有する二段沈胴式であり、撮影時と沈胴時で図３〜図５に一点鎖線で示す光軸方向の長さを変化させることができる。レンズ鏡筒ユニット２は１群レンズ１１、２群レンズ２０及び３群レンズ９０からなる３群の撮影レンズ群で構成される。１群レンズ１１は１群筒ユニット１０の１群筒１２に、２群レンズ２０は２群筒ユニットの２群ホルダ２１に、３群レンズ９０は３群筒ユニットの３群ホルダ９１に保持されている。
【００１２】
１群筒ユニット１０は、１群筒（レンズ保持筒）１２、バリアカバー（１群カバー）１３、バリア羽根１４、１群キャップ１５、バリア駆動リング１７、一対の引張バネ１８を有する。
【００１３】
図６は、１群筒ユニット１０の分解斜視図である。１群筒ユニット１０は、図６に示すように、１群キャップ１５と、バリアユニット１９と、１群筒１２と、を有する。図７は、図６において、バリアユニット１９をユニット状態に組み立てたときの斜視図である。
【００１４】
図４〜図７に示すように、１群キャップ１５は１群筒ユニット１０の先頭に（被写体側に）設けられて断面Ｌ字形状を有する。１群キャップ１５は、前部１５ａと側部１５ｂを有する。前部１５ａは円環形状を有し、中央に円形の開口部１５ａ１を有する。側部１５ｂは前部１５ａの円筒形状の側面を形成する。図４及び図５に示すように、前部１５ａはバリアカバー１３と同一面を形成し、側部１５ｂは１群筒１２と同一面を形成する。１群キャップ１５は１群筒１２に取り付けられ、バリアユニット１９を収納する。バリアユニット１９は、被写体側から順に、バリアカバー１３、一対のバリア羽根１４、バリア駆動リング１７を有する。
【００１５】
バリアカバー１３は、基部１３ａ、一対の係合部１３ｃ、一対の軸１３ｄ、一対のストッパー（第１規制部）１３ｅ、一対の係合部１３ｆを有する。
【００１６】
基部１３ａは円盤形状を有し、中央に矩形形状の開口１３ｂを有する。一対の係合部１３ｃは、基部１３ａの（被写体と反対側の）裏面の側部に１８０度間隔で設けられ、バリア駆動リング１７の係合部１７ｄと係合し、図４及び図５に示すように、断面Ｕ字形状又はフック形状を有する。
【００１７】
一対の軸１３ｄは、バリアカバー１３の裏面に１８０度間隔で設けられ、バリア羽根１４の中空円筒１４ｇの中空穴に挿入される。一対のストッパー１３ｅは、基部１３ａの裏面側の側部に１８０度間隔に配置されて、バリア羽根１４の側面（第１側面）１４ａに係合（接触）することが可能な斜面からなる当接部１３ｅ１を有する。
【００１８】
一対の係合部１３ｆは、基部１３ａの裏面側の側部に１８０度間隔に配置され、各係合部１３ｆは１群筒１２の対応する係合部１２ｂと係合する。各係合部１３ｆは、頭部１３ｇと頭部１３ｇよりも細く括れている首部１３ｈを有する。係合部１３ｆは弾性変形が可能であり、係合部１２ｂと係合した後も弾性変形によって係合を解除することができる。
【００１９】
バリア羽根１４はレンズ鏡筒ユニット２の動作に連動して図４に示す撮影状態では撮影レンズを露呈する開口Ｐを開き、図５に示す沈胴状態では開口を閉じる。バリア羽根１４は光軸に直交する方向に開閉することができ、一対のバリア羽根１４は同一形状を有する。各バリア羽根１４は、略Ｌ字形状を有する。
【００２０】
各バリア羽根１４は、図６、図８及び図９に示すように、側面１４ａ〜１４ｆ、中空円筒１４ｇ、突起１４ｈを有する。また、バリア羽根１４の裏面側（１群レンズ１１側）には窪みが形成されている。ここで、図８は、バリア羽根１４が開いた状態のバリアユニット１９の部分透過正面図であり、図９は、図５に示すように、バリア羽根１４が閉じた沈胴状態のバリアユニット１９の部分透過正面図である。図中、バリアカバー１３は点線で示している。
【００２１】
側面１４ａは、中空円筒１４ｇが設けられた基部から延びる曲面状の側面に接続される。側面１４ａは、バリアユニット１９が１群筒１２に組み込まれる前の状態ではストッパー１３ｅに係合（接触）可能な外側の斜面である。
【００２２】
側面１４ｂは、側面１４ａに接続され、側面１４ａから内側に折れ曲がった斜面（又は曲面）である。側面１４ｂの形状はバリアユニット１９を１群筒１２に組み付ける作業又は１群キャップ１５をバリアユニット１９に取り付ける作業を妨げないように決定される。
【００２３】
側面（第２側面）１４ｃは、側面１４ｂに接続され、側面１４ｂから内側に折れ曲がった斜面である。側面１４ｃは、バリアユニット１９が１群筒１２に組み込まれた後の状態ではストッパー（第２規制部）１２ａに係合（接触）可能である。
【００２４】
側面１４ｄは、側面１４ｃに接続され、側面１４ｃから内側に折れ曲がった斜面（又は曲面）である。側面１４ｄの形状はバリアユニット１９を１群筒１２に組み付ける作業又は１群キャップ１５を１群筒１２に取り付ける作業を妨げないように決定される。
【００２５】
一対のバリア羽根１４の一対の側面１４ｅは沈胴状態において開口１３ｂを閉じるように互いに係合する内側の側面である。また、側面１４ａ〜１４ｄの形状は、一対の側面１４ｅが係合した状態において開口１３ｂを覆うことができるように決定される。
【００２６】
側面１４ｆは、中空円筒１４ｇの近傍に設けられ、バリア駆動リング１７の駆動ピン１７ｈに係合（接触）して駆動ピン１７ｈによって力を加えられる側面である。
【００２７】
中空円筒１４ｇはバリア羽根１４の裏面の端部に設けられて、中空円筒１４ｇの中心の中空穴には軸１３ｄが挿入され、中空円筒１４ｇは軸１３ｄの周りに回転することができる。即ち、軸１３ｄがバリア羽根１４の回転軸（回転中心）である。突起１４ｈは、引張バネ１８の一端の係合部１８ａと係合する係合部である。
【００２８】
バリア駆動リング１７は、基部１７ａ、突起１７ｃ、一対の係合部１７ｄ、一対の張出部１７ｅ、一対の突起１７ｆ、一対の切欠部１７ｇ、一対の駆動ピン１７ｈを有する。
【００２９】
基部１７ａは円盤形状を有し、基部１７ａの中央には円形形状の開口１７ｂが設けられている。突起１７ｃは基部１７ａの裏面に設けられ、図５に示す沈胴状態において、ホルダ８２に設けられた突起８３と係合し、図４に示す撮影状態において、突起８３との係合が解除される。突起１７ｃには、突起８３を介して回転力が付与され、これによってバリア駆動リング１７は光軸周りにバリアカバー１３とバリア羽根１４に対して回転することができる。
【００３０】
各係合部１７ｄには、対応するバリアカバー１３の係合部１３ｃが係合する。一対の張出部１７ｅは略三角形形状を有して基部１７ａの側面から外側に張り出している。各張出部１７ｅは裏面側が窪んでおり、突起１７ｆが形成されている。一対の突起１７ｆは１８０度間隔で設けられている。各突起１７ｆは、引張バネ１８の他端の係合部１８ｂと係合する係合部である。
【００３１】
一対の切欠部１７ｇは、１８０度間隔で設けられて係合部１７ｄと張出部１７ｅとの間に設けられる。切欠部１７ｇは、係合部１３ｃが係合部１７ｄと係合する前に配置される部位であり、係合部１３ｃを収納する幅を有する。
【００３２】
一対の駆動ピン１７ｈは、基部１７ａの前面に１８０度間隔で設けられ、図６及び図７には省略され、図８及び図９に示されている。各駆動ピン１７ｈは、バリア羽根１４の側面１４ｆに接触して側面１４ｆに（図８では反時計回りの）力を加える。駆動ピン１７ｈとバリア羽根１４の側面１４ｆとの接触位置は軸１３ｄから離れているので、バリア羽根１４には回転力（モーメント）が働く。
【００３３】
一対の引張バネ１８は、両端に係合部１８ａ及び１８ｂを有する。係合部１８ａはバリア羽根１４の突起１４ｈと係合する中空円環部であり、係合部１８ｂは張出部１７ｅの突起１７ｆと係合する中空円環部であるが、係合部１８ａ及び１８ｂの構造と突起１４ｈ及び１７ｆの構造は限定されない。一対の引張バネ１８はバリアユニット１９に平行に配置される。
【００３４】
バリアカバー１３とバリア羽根１４は１群筒１２に固定されて１群筒１２に対して回転しないが、バリア駆動リング１７はバリアカバー１３、バリア羽根１４に対して回転することができる。引張バネ１８の付勢力により、バリア駆動リング１７には、図８に示す反時計回りに回転力を与えられているため、初期状態では駆動ピン１７ｈが側面１４ｆに接触し、バリア羽根１４は軸１３ｄを中心に回転して同図に示すように開いた状態となる。このように、バリアユニット１９の単体では、バリア駆動リング１７の突起１７ｃに力を加えなければ、図８に示すように、バリア羽根１４は開いた状態が初期状態である。そして、バリア羽根１４の側面１４ａは、バリアカバー１３のストッパー１３ｅの当接部１３ｅ１と接触し、この結果、バリア羽根１４の開き量が規制される。
【００３５】
バリア羽根１４は閉じ動作を行う際には、ホルダ８２の突起８３と、バリア駆動リング１７の突起１７ｃを図４に示すように係合して突起８３を介して突起１７ｃに力を加えてバリア駆動リング１７を図９中の時計回りに回転させる。これにより、バリア駆動リング１７の駆動ピン１７ｈがバリア羽根１４の側面１４ｆから離れると共にバリア駆動リング１７の突起１７ｆが時計回りに回転する。そして、引張バネ１８の付勢力により、バリア羽根１４は軸１３ｄを中心に反時計回りに回転して図９に示すように閉じた状態となる。
【００３６】
１群筒１２は、１群レンズ１１を保持し、バリアユニット１９とカム筒３０と係合する。図１０は、バリアユニット１９と１群筒１２との係合を説明するための斜視図である。図１１は、図１０に示す矢印方向にバリアユニット１９を１群筒１２に接触した状態を示す斜視図である。図１０及び図１１に示すように、１群筒１２は、一対のストッパー（第２規制部）１２ａ、一対の係合部１２ｂ、保持部１２ｅ、貫通穴１２ｆ、３つのカムピン１６を有する。
【００３７】
一対のストッパー１２ａは、１群筒１２の前側の側部に１８０度間隔に配置される。各ストッパー１２ａは、バリア羽根１４の側面１４ａに係合（接触）することが可能な斜面からなる当接部１２ａ１を有する。
【００３８】
図１２は、図１１に示す状態からバリアユニット１９を時計回りに回転して係合部１２ｂに係合部１３ｆを係合した状態を示す斜視図である。
【００３９】
図１１と図１２を参照するに、各係合部１２ｂは、バリアユニット１９と係合し、収納部１２ｃと爪部１２ｄを有し、弾性変形が可能である。収納部１２ｃは、係合部１３ｆの頭部１３ｇを収納し、爪部１２ｄは首部１３ｈの括れ部に挿入される。
【００４０】
図１１は、バリアユニット１９が、レンズ保持筒１２に分離可能な状態で接触された状態（第１回転位置）を示している。図１２は、バリアユニット１９が第１回転位置から回転されてレンズ保持筒１２に固定された状態（第２回転位置）を示している。図１１に示す状態から図１２に示す状態に移行する組立過程において、頭部１３ｇのテーパー部と爪部１２ｄが接触し、頭部１３ｇが爪部１２ｄから離れる外側に弾性変形しながらバリアユニット１９が時計回りに回転する。頭部１３ｇが収納部１２ｃに収納されると爪部１２ｄが頭部１３ｇから離れて首部１３ｈの括れ部に頭部１３ｇが挿入されるので頭部１３ｇの弾性変形は解除されて図１２に示す状態となる。この結果、バリアユニット１９は１群筒１２に対して固定される。
【００４１】
保持部１２ｅは１群レンズ１１を保持し、１群レンズ１１の横に貫通穴１２ｆを有する。貫通穴１２ｆにはバリア駆動リング１７の突起１７ｃが挿入される。突起１７ｃは貫通穴１２ｆに沿って回転移動することができ、バリア駆動リング１７は、１群筒１２、バリアカバー１３及びバリア羽根１４に対して移動することができる。
【００４２】
３つのカムピン１６は、１群筒１２の外周端部に１２０度の等間隔で径方向に突出している。カムピン１６は、カム筒３０のカム溝３３に係合する。
【００４３】
図３〜図５に戻ると、２群筒ユニットはバヨネット結合されたカム筒３０と直進筒４０とを有し、カム筒３０には２群ホルダ２１が係合している。２群ホルダ２１の外周には、１２０度の等間隔で配置されて径方向に突出する３つのカムピン２２が設けられ、カムピン２２は、後述するカム筒３０のカム溝３４に係合する。また、バヨネット結合によりカム筒３０と直進筒４０は光軸方向に共に移動する。
【００４４】
カム筒３０は、キャップ３１と円筒部３２を有する。キャップ３１は円筒部３２と一体に形成されてもよい。キャップ３１は断面Ｌ字形状を有し、カム筒３０の１群筒ユニット１０側の先端部に設けられる。円筒部３２の内面には、カム溝３３及び３４が円周方向に３本ずつ設けられている。また、円筒部３２の内面には、円周方向に亘って図４及び図５に示すように係合溝３５が設けられている。
【００４５】
カム溝３３には１群筒ユニット１０のカムピン１６が係合し、カム溝３３は１群筒ユニット１０の光軸方向への移動（量）を制御する。カム溝３４には２群ホルダ２１のカムピン２２が係合し、カム溝３４は２群ホルダ２１の光軸方向への移動（量）を制御する。カム筒３０の回転と直進筒４０の回転規制により、１群筒ユニット１０と２群ホルダ２１は光軸方向へ進退可能となっている。カム溝３３とカム溝３４は異なる形状を有し、互いに重ならないように配置されている。
【００４６】
カム筒３０の端部外面には１２０度の等間隔で配置された３つの駆動ピン３８と、１２０度の等間隔で配置された３つのカムピン３９が設けられている。隣り合う駆動ピン３８とカムピン３９の中心角は６０度である。駆動ピン３８は回転筒６０のキー溝６１と係合し、カム筒３０は回転筒６０と共に回転する。カムピン３９は固定筒７０のカム溝７１と係合し、カム溝７１の軌跡に倣ってカム筒３０が光軸方向へ移動する。
【００４７】
直進筒４０は、カム筒３０の動作に連動して光軸方向へ移動し、１群筒１２と２群ホルダ２１の回転を規制する。直進筒４０はカム筒３０に挿入され、その外周面には１２０度の等間隔で配置された３つの突起状の係合部４２が形成される。係合部４２はカム筒３０の係合溝３５と係合する。この係合により、カム筒３０と直進筒４０は、光軸方向へ共に移動する。また、係合溝３５の一部が傾斜していることによってカム筒３０と直進筒４０の光軸方向の相対位置が変化する。更に、直進筒４０のフランジ部４５には、固定筒７０と係合して固定筒７０の回転を規制する三対の直進キーが形成される。
【００４８】
３群筒ユニットはカバー筒５０、回転筒６０、固定筒７０及び撮像素子ユニット８０を有する。固定筒７０の外側にはカバー筒５０と回転筒６０が配置される。撮像素子ユニット８０は、撮像素子８１、３群ホルダ９１、モータ９３等を保持する。
【００４９】
カバー筒５０は、回転筒６０と、撮像素子８１を保持するホルダ８２と共にビス等で固定され、カメラ本体１に保持される。図２に示すように、ホルダ８２はズーム動作の駆動源であるモータ９３と、モータ９３からの動力を伝達するギア列９４を保持している。ギア列９４は回転筒６０の外面に円周方向に設けられたギア６２とかみ合い、回転筒６０は固定筒７０の外周を光軸周りに回転する。また、ホルダ８２の突起８３に加えられる力は突起１７ｃを介してバリア駆動リング１７にも及ぶ。
【００５０】
以下、レンズ鏡筒ユニット２の組立作業について説明する。
【００５１】
図６において、中空円筒１４ｇの中空穴に軸１３ｄを挿入することによってバリア羽根１４を取り付けて引張バネ１８の係合部１８ａ及び１８ｂを突起１４ｈ及び１７ｆに係合することによって一対の引張バネ１８を取り付ける。また、図６において、係合部１３ｃを切欠部１７ｇに配置し、その後、バリアカバー１３をバリア駆動リング１７に対して回転することによって、図７に示すように、係合部１３ｃを係合部１７ｄに係合する。これによって、ユニット化されたバリアユニット１９が形成される。
【００５２】
図７に示す状態では、ストッパー１３ｅがバリア羽根１４の開き量を規制して保持する。このため、図７及び図１３に示すように、側面１４ｂ及び１４ｄはバリアユニット１９のバリアカバー１３の基部１３ａの外形から大幅に突出せず、図１０及び図１１に示すように、バリアユニット１９を１群筒１２に取り付ける作業が容易になる。もし、ストッパー１３ｅがバリア羽根１４の開き量を規制しないと、図１０に示すようにバリアユニット１９を１群筒１２に取り付ける際にバリア羽根１４を閉じながら組み付けるなど組立作業が困難になる。
【００５３】
図７に示す状態の後で、バリアユニット１９を１群筒１２に係合し、その後、１群キャップ１５を取り付けることによって、図３に示す１群筒ユニット１０が完成する。バリアユニット１９を１群筒１２に係合する際には図１１及び図１２に示す過程を経る。図１３は、図１１に示す状態の部分断面平面図である。図１４は、図１２に示す状態の部分断面平面図である。図１３及び図１４は、バリアカバー１３の一部を切り欠いて示している。
【００５４】
上述したように、図１１及び図１３に示す状態では（バリアユニット１９がレンズ保持筒１２に対して図１３に示す状態（第１回転位置）にあるときは）、バリアユニット１９のバリア羽根１４は、引張バネ１８の付勢力によって開き状態へ付勢されている。また、バリア羽根１４の側面１４ａはバリアカバー１３のストッパー１３ｅの当接部１３ｅ１と接触し、その開き量を規制している。一方、ストッパー１２ａはバリア羽根１４の側面１４ｃから離れている。
【００５５】
この状態から、バリアユニット１９が時計回りに回転されて１群筒１２と係合すると図１２及び図１４に示す状態となる。図１２及び図１４においては、バリア羽根１４の側面１４ｃがストッパー１３ｅよりも閉じ側にある１群筒１２のストッパー１２ａの当接部１２ａ１と接触してバリア羽根１４を閉じる方向に変位させる結果、ストッパー１３ｅが側面１４ａから離れる。よって、バリアユニット１９の１群筒１２への組込み完了時には、バリア羽根１４の開き量は、１群筒１２のストッパー１２ａによって規制される。
【００５６】
この場合、バリア羽根１４の開き量の規制を１群筒１２のみで行なってバリアカバー１３のストッパー１３ｅでは行なわないことも考えられる。しかし、図１１に示す状態では、バリア羽根１４の開き量が大きく、バリア羽根１４の開き量を規制しないと、１群キャップ１５を１群筒１２に取り付ける際にバリア羽根１４を閉じながら組み付けるなど組立作業が困難になる。
【００５７】
バリアカバー１３のストッパー１３ｅの規制によるバリア羽根１４の開き量は、１群筒１２のストッパー１２ａの規制によるバリア羽根１４の開き量よりも大きく設定されている。即ち、本実施例では、図１１（図１３）から図１２（図１４）に移行する段階でストッパー１２ａがバリア羽根１４の開き量を更に小さくしている。この結果、側面１４ｂ及び１４ｄの突出量は小さくなり、１群キャップ１５の取り付け作業が容易になる。
【００５８】
このように、本実施例では、最終的には、バリア羽根１４の開き量を１群筒１２が規制及び保持している。また、ストッパー１３ｅによるバリア羽根１４の開き量よりもストッパー１２ａによる開き量を小さく設定されているので、バリア羽根１４の開き量の制御をストッパー１３ｅからストッパー１２ａに移すことが可能である。また、バリア羽根１４の開き量の制御の移行は図１１に示す状態から図１２に示す状態にバリアユニット１９を回転させるだけでよいので便宜である。
【００５９】
その後、１群筒ユニット１０はレンズ鏡筒ユニット２の他の部材と係合されて図２に示すレンズ鏡筒ユニット２が完成する。
【００６０】
以上、本実施例は、最終的には、バリア羽根１４の開き量を１群筒１２が規制及び保持しているのでバリア羽根１４の駆動範囲を大きく設定することができ、バリア羽根１４が開き時に退避するスペースを有効に活用することができる。その結果、１群筒１２の外径を不必要に大きく設定する必要がなくなり、レンズ鏡筒ユニット２の小型化が可能となる。
【産業上の利用可能性】
【００６１】
撮像装置は、被写体の撮像に適用することができる。
【符号の説明】
【００６２】
２                  レンズ鏡筒ユニット
１１                １群レンズ
１２                １群筒（レンズ保持筒）
１２ａ              係合部（第２規制部）
１３                バリアカバー
１３ｅ              係合部（第１規制部）
１４                バリア羽根
１４ａ〜１４ｆ      側面
１９                バリアユニット
【図１】
0005500885.tif 000002
【図２】
0005500885.tif 000003
【図３】
0005500885.tif 000004
【図４】
0005500885.tif 000005
【図５】
0005500885.tif 000006
【図６】
0005500885.tif 000007
【図７】
0005500885.tif 000008
【図８】
0005500885.tif 000009
【図９】
0005500885.tif 000010
【図１０】
0005500885.tif 000011
【図１１】
0005500885.tif 000012
【図１２】
0005500885.tif 000013
【図１３】
0005500885.tif 000014
【図１４】
0005500885.tif 000015